(57)【要約】【課題】通電安定性を損なうことなく、デバイス特性を改善することの可能な有機電界発光素子、有機電界発光装置および電子機器を提供する。【解決手段】本開示の一実施の形態に係る有機電界発光素子は、第１反射層と、第２反射層と、第１反射層と第２反射層との間に設けられた単色発光の有機発光層とを備えている。この有機電界発光素子は、さらに、有機発光層と第２反射層との間に設けられたＡｇ電極層と、Ａｇ電極層の有機発光層側に接するＹｂ電子注入層とを備えている。【選択図】図１
2019083187.tif 000002
【特許請求の範囲】
【請求項１】
第１反射層と、
第２反射層と、
前記第１反射層と前記第２反射層との間に設けられた単色発光の有機発光層と、
前記有機発光層と前記第２反射層との間に設けられたＡｇ電極層と、
前記Ａｇ電極層の前記有機発光層側に接するＹｂ電子注入層と
を備えた
有機電界発光素子。
【請求項２】
前記Ａｇ電極層の前記第２反射層側に接するＹｂ保護層を更に備えた
請求項１に記載の有機電界発光素子。
【請求項３】
前記Ａｇ電極層は、前記第２反射層よりも薄くなっている
請求項１または請求項２に記載の有機電界発光素子。
【請求項４】
前記Ａｇ電極層と前記第２反射層との間に、前記Ａｇ電極層よりも高抵抗の膜厚調整層を更に備えた
請求項１から請求項３のいずれか一項に記載の有機電界発光素子。
【請求項５】
前記第１反射層および前記Ａｇ電極層と電気的に導通し、前記第１反射層と前記Ａｇ電極層との間に電流を供給するための配線を更に備えた
請求項１から請求項４のいずれか一項に記載の有機電界発光素子。
【請求項６】
前記第２反射層と前記Ａｇ電極層とが電気的に導通している
請求項１から請求項５のいずれか一項に記載の有機電界発光素子。
【請求項７】
前記第２反射層と前記Ａｇ電極層とが、前記有機発光層の発光領域と非対向の領域において電気的に導通している
請求項６に記載の有機電界発光素子。
【請求項８】
前記第１反射層と前記第２反射層との間の距離が、キャビティが生じる光路長となっている
請求項１から請求項７のいずれか一項に記載の有機電界発光素子。
【請求項９】
複数の有機電界発光素子を備え、
前記複数の有機電界発光素子のうちの少なくとも１つは、
第１反射層と、
第２反射層と、
前記第１反射層と前記第２反射層との間に設けられた単色発光の有機発光層と、
前記有機発光層と前記第２反射層との間に設けられたＡｇ電極層と、
前記Ａｇ電極層の前記有機発光層側に接するＹｂ電子注入層と
を有する
有機電界発光装置。
【請求項１０】
前記複数の有機電界発光素子は、画素領域に設けられ、
前記第２反射層と前記Ａｇ電極層とが、前記画素領域の周辺の領域で電気的に導通している
請求項９に記載の有機電界発光装置。
【請求項１１】
複数の有機電界発光素子を有する有機電界発光装置を備え、
前記複数の有機電界発光素子のうちの少なくとも１つは、
第１反射層と、
第２反射層と、
前記第１反射層と前記第２反射層との間に設けられた単色発光の有機発光層と、
前記有機発光層と前記第２反射層との間に設けられたＡｇ電極層と、
前記Ａｇ電極層の前記有機発光層側に接するＹｂ電子注入層と
を有する
電子機器。
【請求項１２】
第１反射層と、
第２反射層と、
前記第１反射層と前記第２反射層との間に設けられた単色発光の有機発光層と、
前記有機発光層と前記第２反射層との間に設けられた、膜厚が前記第２反射層よりも薄い電極層と、
前記電極層と前記第２反射層との間に設けられた、前記電極層よりも高抵抗の膜厚調整層と、
前記第１反射層と前記電極層との間に電流を供給するための配線層と
を備えた
有機電界発光素子。
【請求項１３】
前記第２反射層と前記電極層とが、画素領域の周辺の領域で電気的に導通している
請求項１２に記載の有機電界発光素子。
【請求項１４】
第１反射層と、
第２反射層と、
前記第１反射層と前記第２反射層との間に設けられた単色発光の有機発光層と、
前記有機発光層と前記第２反射層との間に設けられた電極層と、
前記電極層と前記第２反射層との間に設けられた、前記電極層よりも高抵抗の膜厚調整層と、
前記第１反射層と前記電極層との間に電流を供給するための配線層と
を備えた
有機電界発光素子。
【請求項１５】
前記電極層の膜厚が、画素領域で相対的に薄くなっており、前記画素領域の周辺の領域で相対的に厚くなっている
請求項１４に記載の有機電界発光素子。
【発明の詳細な説明】
【技術分野】
【０００１】
本開示は、有機電界発光素子、有機電界発光装置および電子機器に関する。
【背景技術】
【０００２】
有機電界発光素子を用いた有機電界発光装置（有機電界発光ディスプレイ）として、種々のものが提案されている（例えば、特許文献１参照）。
【先行技術文献】
【特許文献】
【０００３】
【特許文献１】特表２００７−５３３１５７号公報
【発明の概要】
【発明が解決しようとする課題】
【０００４】
ところで、有機電界発光装置では、有機電界発光素子の通電安定性を損なうことなく、デバイス特性を改善することが求められている。そのため、通電安定性を損なうことなく、デバイス特性を改善することの可能な有機電界発光素子、有機電界発光装置および電子機器を提供することが望ましい。
【課題を解決するための手段】
【０００５】
本開示の一実施の形態に係る第１の有機電界発光素子は、第１反射層と、第２反射層と、第１反射層と第２反射層との間に設けられた単色発光の有機発光層とを備えている。この有機電界発光素子は、さらに、有機発光層と第２反射層との間に設けられたＡｇ電極層と、Ａｇ電極層の有機発光層側に接するＹｂ電子注入層とを備えている。
【０００６】
本開示の一実施の形態に係る第２の有機電界発光素子は、第１反射層と、第２反射層と、第１反射層と第２反射層との間に設けられた単色発光の有機発光層とを備えている。この有機電界発光素子は、さらに、有機発光層と第２反射層との間に設けられた、膜厚が第２反射層よりも薄い電極層と、電極層と第２反射層との間に設けられた、電極層よりも高抵抗の膜厚調整層と、第１反射層と電極層との間に電流を供給するための配線層とを備えている。
【０００７】
本開示の一実施の形態に係る有機電界発光装置は、複数の有機電界発光素子を備えている。この有機電界発光装置において、複数の有機電界発光素子のうちの少なくとも１つは、上記の第１または第２の有機電界発光素子と同一の構成要素を有している。
【０００８】
本開示の一実施の形態に係る電子機器は、有機電界発光装置を備えている。この電子機器における有機電界発光装置は、上記の第１または第２の有機電界発光装置と同一の構成要素を有している。
【発明の効果】
【０００９】
本開示の一実施の形態に係る第１の有機電界発光素子、ならびに第１の有機電界発光素子を備えた有機電界発光装置および電子機器によれば、第１反射層と第２反射層との間に、互いに接するＹｂ電子注入層およびＡｇ電極層を有機発光層側からこの順に積層した積層体が設けられているので、通電安定性を損なうことなく、デバイス特性を改善することができる。なお、上記内容は本開示の一例である。本開示の効果は、上述したものに限らず、他の異なる効果であってもよいし、更に他の効果を含んでいてもよい。
【００１０】
本開示の一実施の形態に係る第２の有機電界発光素子、ならびに第２の有機電界発光素子を備えた有機電界発光装置および電子機器によれば、第１反射層と第２反射層との間に膜厚が第２反射層よりも薄い電極層が設けられ、有機発光層と第２反射層との間に電極層よりも高抵抗の膜厚調整層が設けられ、第１反射層と前記電極層との間に電流を供給するための配線層が設けられているので、通電安定性を損なうことなく、デバイス特性を改善することができる。なお、上記内容は本開示の一例である。本開示の効果は、上述したものに限らず、他の異なる効果であってもよいし、更に他の効果を含んでいてもよい。
【図面の簡単な説明】
【００１１】
【図１】本開示の第１の実施の形態に係る有機電界発光素子の断面構成の一例を表す図である。
【図２】電流および光の経路の一例を表す図である。
【図３】Ａｇ膜厚とシート抵抗との関係の一例を表す図である。
【図４】比較例に係る有機電界発光素子の断面構成の一例を表す図である。
【図５】変形例に係る有機電界発光素子の断面構成の一例を表す図である。
【図６】Ａｇ膜厚とシート抵抗、Ｙｂ電子注入層、Ｙｂ保護層の関係の一例を表す図である。
【図７】変形例に係る有機電界発光素子の断面構成の一例を表す図である。
【図８】変形例に係る有機電界発光素子の断面構成の一例を表す図である。
【図９】変形例に係る有機電界発光素子の断面構成の一例を表す図である。
【図１０】変形例に係る有機電界発光素子の断面構成の一例を表す図である。
【図１１】本開示の第２の実施の形態に係る有機電界発光装置の概略構成の一例を表す図である。
【図１２】図１１の画素の回路構成の一例を表す図である。
【図１３】図１１の表示パネルの概略構成の一例を表す平面図である。
【図１４】本開示の有機電界発光装置を備えた電子機器の外観の一例を斜視的に表す図である。
【図１５】本開示の有機電界発光素子を備えた照明装置の外観の一例を斜視的に表す図である。
【発明を実施するための形態】
【００１２】
以下、本開示を実施するための形態について、図面を参照して詳細に説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。なお、各図は、模式図であり、必ずしも厳密に図示されたものではない。また、各図において、実質的に同一の構成に対しては同一の符号を付しており、重複する説明は省略又は簡略化する。なお、説明は以下の順序で行う。
１．第１の実施の形態（有機電界発光素子）
２．第１の実施の形態の変形例（有機電界発光素子）
３．第２の実施の形態（有機電界発光装置）
４．適用例（電子機器、照明装置）
【００１３】
＜１．第１の実施の形態＞
[構成]
図１は、本開示の第１の実施の形態に係る有機電界発光素子１の断面構成の一例を表したものである。有機電界発光素子１は、例えば、基板１０上に設けられたものである。有機電界発光素子１は、例えば、反射層１１（陽極、第１反射層）、正孔注入層１２、正孔輸送層１３、有機発光層１４、電子輸送層１５、電子注入層１６（Ｙｂ電子注入層）、陰極１７（Ａｇ電極層）、膜厚調整層１８および反射層１９（第２反射層）を基板１０側からこの順に含んで構成された素子構造となっている。正孔注入層１２および正孔輸送層１３は、有機発光層１４の正孔注入側に設けられている。電子輸送層１５および電子注入層１６は、有機発光層１４の電子注入側に設けられている。有機発光層１４は、反射層１１と反射層１９との間に設けられた単色発光の有機発光層である。陰極１７は、有機発光層１４と反射層１９との間に設けられた電極層である。電子注入層１６は、陰極１７の有機発光層１４側に接している。膜厚調整層１８は、陰極１７と反射層１９との間に設けられている。
【００１４】
本実施の形態では、有機電界発光素子１には、マイクロキャビティ構造が設けられている。マイクロキャビティ構造は、例えば、反射層１１と反射層１９との間で生じる光の共振を利用し、特定波長の光を増強させる効果を有する。有機発光層１４から発せられた光は、反射層１１と反射層１９との間で多重反射する。このとき、有機発光層１４から発せられた光のうちの特定の波長成分が強められる。反射層１１と反射層１９との間の光路長が、有機発光層１４から発せられる光の発光スペクトルピーク波長に対応している。マイクロキャビティ構造により、有機発光層１４から出射された光は、例えば、図２に示したように、反射層１１と反射層１９との間で所定の光学長の範囲内で反射を繰り返し、光路長に対応した特定の波長の光Ｌは共振して増強される一方、光路長に対応しない波長の光は弱められる。その結果、外部に取り出される光Ｌのスペクトルが急峻でかつ高強度になり、輝度および色純度が向上する。従って、反射層１１と反射層１９との間の距離が、キャビティが生じる光路長となっている。マイクロキャビティ構造では、膜厚が大きくなるにつれて、１次干渉（ファーストキャビティ）、２次干渉（セカンドキャビティ）、３次干渉（サードキャビティ）などが発生する。
【００１５】
基板１０は、例えば、透明基板等の光透過性を有する透光基板であり、例えば、ガラス基板である。基板１０に用いられるガラス基板の材料としては、例えば、無アルカリガラス、ソーダガラス、無蛍光ガラス、燐酸系ガラス、硼酸系ガラスまたは石英などが挙げられる。なお、基板１０は、ガラス基板に限るものではなく、透光性樹脂基板や、有機ＥＬ表示装置のバックプレーンであるＴＦＴ（薄膜トランジスタ）基板であってもよい。基板１０に用いられる透光性樹脂基板の材料としては、例えば、アクリル系樹脂、スチレン系樹脂、ポリカーボネート系樹脂、エポキシ系樹脂、ポリエチレン、ポリエステル、またはシリコーン系樹脂などが挙げられる。基板１０は、高いフレキシブル性を持った基板であってもよいし、フレキシブル性のほとんど無い剛性の高い基板であってもよい。
【００１６】
反射層１１は、例えば、基板１０の上に形成されている。反射層１１は、反射性を有する反射電極（反射性金属層）である。反射電極の材料としては、例えば、アルミニウム（Ａｌ）、銀（Ａｇ）、または、アルミニウムもしくは銀の合金等が挙げられる。反射層１１は、陽極として用いられる。反射層１１は、反射率の高いＡｇもしくはＡｇ合金で構成されたＡｇ電極層であってもよい。
【００１７】
正孔注入層１２は、反射層１１（陽極）から注入された正孔を正孔輸送層１３、有機発光層１４へ注入する機能を有する。正孔注入層１２は、例えば、正孔注入性を有する無機材料によって構成されている。正孔注入性を有する無機材料としては、例えば、銀（Ａｇ）、モリブデン（Ｍｏ）、クロム（Ｃｒ）、バナジウム（Ｖ）、タングステン（Ｗ）、ニッケル（Ｎｉ）、イリジウム（Ｉｒ）などの酸化物（無機酸化物）などが挙げられる。正孔注入層１２は、例えば、無機酸化物の蒸着膜もしくはスパッタ膜で構成されている。なお、正孔注入層１２は、正孔注入性を有する有機材料によって構成されていてもよい。正孔注入性を有する有機材料としては、例えば、ＰＥＤＯＴ（ポリチオフェンとポリスチレンスルホン酸との混合物）などの導電性ポリマー材料などが挙げられる。正孔注入層１２は、例えば、有機材料の塗布膜で構成されている。正孔注入層１２は、有機材料の蒸着膜で構成されていてもよい。
【００１８】
正孔輸送層１３は、反射層１１から注入された正孔を有機発光層１４へ輸送する機能を有する。正孔輸送層１３は、例えば、反射層１１から注入された正孔を有機発光層１４へ輸送する機能を有する材料（正孔輸送性材料）によって構成されている。上記の正孔輸送性材料としては、例えば、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アミノ置換カルコン誘導体、オキサゾール誘導体、スチリルアントラセン誘導体、フルオレノン誘導体、ヒドラゾン誘導体、スチルベン誘導体、ブタジエン化合物、ポリスチレン誘導体、ヒドラゾン誘導体、トリフェニルメタン誘導体、テトラフェニルベンジン誘導体等、または、これらの組み合わせからなる材料が挙げられる。
【００１９】
有機発光層１４は、正孔と電子との再結合により、所定の色の光（単色光）を発する機能を有する。有機発光層１４は、正孔と電子との再結合により励起子を生成し発光する有機発光材料を含んで構成されている。有機発光層１４は、例えば、塗布膜であり、例えば、上記の有機発光材料を溶質の主成分とする溶液の塗布および乾燥により形成されている。有機発光層１４は、蒸着膜で構成されていてもよい。
【００２０】
有機発光層１４は、例えば、単層の有機発光層、または、積層された複数の有機発光層によって構成されている。有機発光層１４が積層された複数の有機発光層によって構成されている場合には、有機発光層１４は、例えば、上記の有機発光材料の主成分が互いに共通の複数の有機発光層を積層したものである。
【００２１】
有機発光層１４の原料（材料）である有機発光材料は、例えば、ホスト材料とドーパント材料とが組み合わされた材料である。有機発光層１４の原料（材料）である有機発光材料は、ドーパント材料単独であってもよい。ホスト材料は、主に電子又は正孔の電荷輸送の機能を担っており、ドーパント材料は、発光の機能を担っている。ホスト材料およびドーパント材料は１種類のみに限られるものではなく、２種類以上の組み合わせであってもよい。
【００２２】
有機発光層１４のホスト材料としては、例えば、アミン化合物、縮合多環芳香族化合物、ヘテロ環化合物が用いられる。アミン化合物としては、例えば、モノアミン誘導体、ジアミン誘導体、トリアミン誘導体、テトラアミン誘導体が用いられる。縮合多環芳香族化合物としては、例えば、アントラセン誘導体、ナフタレン誘導体、ナフタセン誘導体、フェナントレン誘導体、クリセン誘導体、フルオランテン誘導体、トリフェニレン誘導体、ペンタセン誘導体、または、ペリレン誘導体等が挙げられる。ヘテロ環化合物としては、例えば、カルバゾール誘導体、フラン誘導体、ピリジン誘導体、ピリミジン誘導体、トリアジン誘導体、イミダゾール誘導体、ピラゾール誘導体、トリアゾール誘導体、オキサゾール誘導体、オキサジアゾール誘導体、ピロール誘導体、インドール誘導体、アザインドール誘導体、アザカルバゾール、ピラゾリン誘導体、ピラゾロン誘導体、または、フタロシアニン誘導体等が挙げられる。
【００２３】
また、有機発光層１４のドーパント材料としては、例えば、ピレン誘導体、フルオランテン誘導体、アリールアセチレン誘導体、フルオレン誘導体、ペリレン誘導体、オキサジアゾール誘導体、アントラセン誘導体、または、クリセン誘導体が用いられる。また、有機発光層１４の蛍光ドーパント材料としては、金属錯体が用いられてもよい。金属錯体としては、例えば、イリジウム（Ｉｒ）、白金（Ｐｔ）、オスミウム（Ｏｓ）、金（Ａｕ）、レニウム（Ｒｅ）、もしくは、ルテニウム（Ｒｕ）等の金属原子と配位子とを有するものが挙げられる。
【００２４】
電子輸送層１５は、陰極１７から注入された電子を有機発光層１４へ輸送する機能を有する。電子輸送層１５は、例えば、陰極１７から注入された電子を有機発光層１４へ輸送する機能を有する材料（電子輸送性材料）を含んで構成されている。電子輸送層１５は、例えば、蒸着膜またはスパッタ膜で構成されている。上記の電子輸送性材料としては、例えば、分子内にヘテロ原子を１個以上含有する芳香族ヘテロ環化合物である。芳香族ヘテロ環化合物としては、例えば、ピリジン環、ピリミジン環、トリアジン環、ベンズイミダゾール環、フェナントロリン環、キナゾリン環等を骨格に含む化合物が挙げられる。上記の電子輸送性材料には、電子輸送性を有する金属がドープされている場合がある。この場合、電子輸送層１５は、ドープ金属を含む有機電子輸送層である。電子輸送性を有する金属が電子輸送層１５に含まれていることで、電子輸送層１５の電子輸送性を向上できる。電子輸送層１５に含まれるドープ金属としては、例えば、イッテルビウム（Ｙｂ）などの遷移金属が挙げられる。
【００２５】
電子注入層１６は、陰極１７から注入された電子を電子輸送層１５、有機発光層１４へ注入する機能を有する。電子注入層１６は、例えば、陰極１７から電子輸送層１５、有機発光層１４への電子の注入を促進させる機能を有する材料（電子注入性材料）によって構成されている。上記の電子注入性材料としては、例えば、イッテルビウム（Ｙｂ）が挙げられる。電子注入層１６は、例えば、Ｙｂで構成されたＹｂ層であってもよい。電子輸送層１５に含まれるドープ金属が、上記の電子注入性材料と同じ金属であってもよい。電子注入層１６の膜厚は、例えば、０．１ｎｍ以上、５ｎｍ以下である。電子注入層１６では、厚さが薄すぎると電子注入を促進させる機能が低下し、厚さが厚すぎると、透過率低下によって発光特性が低下することがある。また、Ｙｂ層は、陰極１７側に接して形成される陰極１７（Ａｇ）の膜質を向上させ、シート抵抗を低抵抗化させる機能を有する。この結果、薄い膜厚の陰極１７（Ａｇ）においても通電安定性を損なうことなく、デバイス特性を改善することができる。
【００２６】
陰極１７は、透光性を有する透明電極（透光性金属層）である。透明電極の材料としては、例えば、アルミニウム（Ａｌ）、マグネシウム（Ｍｇ）、銀（Ａｇ）、アルミニウム−リチウム合金、マグネシウム−銀合金等が用いられる。透明電極として機能する陰極１７は、例えば、厚さ０．１ｎｍ以上１０ｎｍ以下のＡｌ層、Ｍｇ層、Ａｇ層、ＡｌＬｉ合金層もしくはＭｇＡｇ合金層である。本実施の形態において、基板１０及び反射層１１が反射性を有し、陰極１７および反射層１９が透光性を有している場合には、有機電界発光素子１は、反射層１９側から光が放出するトップエミッション構造となっている。
【００２７】
陰極１７の膜厚を厚くすると陰極１７の反射によるキャビティ効果が強くなり、正面輝度が高く、視野角特性が低下する。陰極１７の膜厚を薄くすると陰極１７によるキャビティ効果は減少し、正面輝度が抑制され、視野角特性が向上する。反射層１９においてもキャビティ効果が発生することから、陰極１７の膜厚を厚くし、反射性を強くするとキャビティ効果は複雑化する。膜構成の設計に対する仕上がりの膜厚ずれに対する発光特性変化も大きくなる。また、発光特性変化が大きくなることで発光ムラのリスクも高くなる。
【００２８】
そこで本実施の形態においては、例えば、陰極１７の膜厚は反射膜１９より薄くなっている。例えば、反射膜１９の膜厚は５ｎｍ以上３０ｎｍ以下となっていることが望ましく、陰極１７の膜厚は反射膜１９の膜厚よりも薄くなっており、かつ０．１ｎｍ以上１０ｎｍ以下となっていることが望ましい。また、陰極１７の膜厚は反射膜１９の膜厚よりも薄くなっており、かつ０．１ｎｍ以上５ｎｍ以下となっていることがより望ましい。そのようにすることで、陰極１７による反射が抑制され、陰極１７がキャビティの反射層としてほとんど機能しなくなり、視野角特性の低下、膜厚ずれによるデバイス特性低下を抑制することが出来る。
【００２９】
一方、陰極１７を薄くすると、シート低下が悪化する。つまり、陰極１７を出来るだけ薄く、且つシート抵抗の高抵抗化を抑制する構造が必要になる。そこで、本実施の形態においては、陰極１７が例えばＡｇ層となっており、かつ電子注入層１６が例えばＹｂ層となっている。Ｙｂからなる電子注入層１６の上に陰極１７を成膜することでシート抵抗の低抵抗化を図ることができ、陰極１７が薄くても通電安定性を損なうことなく、デバイス特性を改善することができる。
【００３０】
膜厚調整層１８は、例えば、反射層１１と反射層１９との間の距離が所定の光路長となるように調整するための層である。膜厚調整層１８は、例えば、ＩＴＯまたはＩＺＯ等の透明導電性材料によって構成されている。膜厚調整層１８は、例えば、ＩＴＯ層またはＩＺＯ層である。膜厚調整層１８に用いられるＩＴＯ層またはＩＺＯ層の膜厚は、例えば、４０ｎｍよりも大きな値となっている。膜厚調整層１８は、陰極１７よりも高抵抗となっており、電流経路を構成しないようになっている。膜厚調整層１８は、金属ノンドープの有機層であってもよいし、金属ドープされた有機層であってもよい。膜厚調整層１８が有機電界発光素子１における電流経路を構成しない限りにおいて、膜厚調整層１８は、種々の構成を採り得る。
【００３１】
反射層１９は、透光性を有する透明電極（透光性金属層）である。透明電極の材料としては、例えば、アルミニウム（Ａｌ）、マグネシウム（Ｍｇ）、銀（Ａｇ）、アルミニウム−リチウム合金、マグネシウム−銀合金等が用いられる。透明電極として機能する陰極１７は、例えば、厚さ５ｎｍ以上３０ｎｍ以下のＡｌ層、Ｍｇ層、Ａｇ層、ＡｌＬｉ合金層もしくはＭｇＡｇ合金層である。
【００３２】
有機電界発光素子１は、表示パネルの画素として形成されている場合には、基板１０上に、表示パネルの各画素を区画するための複数のバンク２５を備えている。バンク２５は、例えば、絶縁性の有機材料によって形成されている。絶縁性の有機材料としては、例えば、アクリル系樹脂、ポリイミド系樹脂、ノボラック型フェノール樹脂などが挙げられる。バンク２５は、例えば、耐熱性、溶媒に対する耐性を持つ絶縁性樹脂によって形成されていることが好ましい。バンク２５は、例えば、絶縁性樹脂をフォトリソグラフィおよび現像によって所望のパターンに加工することによって形成される。バンク２５の断面形状は、例えば、図１に示したような順テーパ型であってもよく、裾が狭くなった逆テーパ型であってもよい。
【００３３】
有機電界発光素子１は、反射層１１（陽極）および陰極１７と電気的に導通した配線２１を備えている。この配線２１は、反射層１１（陽極）と陰極１７との間に電流を供給するための配線である。図１には、陰極１７、電子注入層１６および電子輸送層１５のうち、バンク２５を超えて延在している部分（図１中の破線で囲んだ部分。以下、「配線層２１Ａ」と称する。）と、画素領域２０Ａを取り囲む周辺領域２０Ｂに形成された電極層２１Ｂとが、反射層１１（陽極）と陰極１７との間に電流を供給する配線２１の一部を構成している様子が例示されている。配線層２１Ａおよび電極層２１Ｂは、画素領域２０Ａの周辺の領域（周辺領域２０Ｂ）に設けられている。電極層２１Ｂは、例えば、反射層１１と同一層内に設けられており、例えば、反射層１１と共通の材料によって形成されている。画素領域２０Ａは、有機電界発光素子１のうち、反射層１１および陰極１７による電流注入によって発光する領域（発光領域１４Ａ）と対向する領域を含んでいる。発光領域１４Ａは、反射層１１および陰極１７による電流注入によって有機発光層１４に生じる。反射層１１がその周囲をバンク２５で囲まれている場合には、発光領域１４Ａは、概ね、有機発光層１４のうち、バンク２５によって開口形成される開口部で反射層１１と正孔注入層１２とが互いに直接接している箇所と対向する領域に生じる。
【００３４】
図３は、Ａｇ膜厚とシート抵抗との関係の一例を表したものである。本実施の形態では、陰極１７が例えばＡｇ層となっており、かつ電子注入層１６が例えばＹｂ層となっている。このとき、陰極１７（Ａｇ層）の厚さを２０ｎｍ以下とするとともに、電子注入層１６（Ｙｂ層）の厚さを０．１ｎｍ以上５ｎｍ以下とすることにより、図３に示したように、電子注入層１６（Ｙｂ層）／陰極１７（Ａｇ層）のシート抵抗値は、Ａｇ単層のシート抵抗値よりも小さくなる。また、陰極１７（Ａｇ層）の厚さを５ｎｍ程度とした場合には、図３に示したように、電子注入層１６（Ｙｂ層）／陰極１７（Ａｇ層）のシート抵抗値は２０オーム／ｓｑ〜３０オーム／ｓｑ程度となる。従って、陰極１７（Ａｇ層）の厚さを５ｎｍ以上２０ｎｍ以下とし、電子注入層１６（Ｙｂ層）の厚さを０．１ｎｍ以上５ｎｍ以下とすることにより、低抵抗な陰極１７を実現することができる。この結果、薄い膜厚の陰極１７（Ａｇ）においても通電安定性を損なうことなく、デバイス特性を改善することができる。
【００３５】
次に、本実施の形態に係る有機電界発光素子１の効果について、比較例も交えて説明する。図４は、比較例に係る有機電界発光素子１００の断面構成の一例を表したものである。有機電界発光素子１００は、本実施の形態に係る有機電界発光素子１において、陰極１７を省略し、かつ膜厚調整層１８が金属ドープの有機層によって構成されたものに相当する。比較例では、陰極１７の機能は反射層１９が担う。比較例では、陰極１７の機能を反射層１９が担うため、電子注入層１６は、膜厚調整層１８と反射層１９の間に形成される。
【００３６】
有機電界発光素子１００には、本実施の形態に係る有機電界発光素子１と同様のマイクロキャビティ構造が設けられている。本構造においてホールｈは、反射層１１から正孔注入層１２、正孔輸送層１３を通り有機発光層１４に向かう。一方、電子ｅは周辺領域２０Ｂにおいて、電極層２１から電子輸送層１５、膜厚調整層１８、電子注入層１６、反射層１９を通って画素領域２０Ａに入り、画素領域２０Ａ内で電子注入層１６、膜厚調整層１８、電子輸送層１５を通り有機発光層１４に向かう。そして有機発光層１４においてホールｈと電子ｅが再結合し、発光が起こる。発光が起こると、金属ドープの有機層によって構成された膜厚調整層１８において、ドープ金属が経時的に劣化し、膜厚調整層１８が高抵抗化する。その結果、有機電界発光素子１００に印加される電圧が高電圧化してしまう。また、膜厚調整層１８内のドープ金属が有機発光層１４にまで拡散し、消光が起こり発光特性の悪化を引き起こす。このように、有機電界発光素子１００では、通電安定性が損なわれ、デバイス特性が悪化してしまう。
【００３７】
一方、本実施の形態では、反射層１１（陽極）と反射層１９との間に、互いに接する電子注入層１６（Ｙｂ電子注入層）および陰極１７（Ａｇ電極層）を有機発光層１４側からこの順に積層した積層体が設けられている。本構造においてホールｈは、反射層１１から正孔注入層１２、正孔輸送層１３を通り有機発光層１４に向かう。一方、電子ｅは周辺領域２０Ｂにおいて、電極層２１から電子輸送層１５、電子注入層１６、陰極１７通って画素領域２０Ａに入り、画素領域２０Ａ内で電子注入層１６、電子輸送層１５を通り有機発光層１４に向かう。そして有機発光層１４においてホールｈと電子ｅが再結合し、発光が起こる。つまり、本構造においては、膜厚調整層１８に電気は流れていない。つまりドープ金属が経時的に劣化し、膜厚調整層１８が高抵抗化することは無い。これにより、通電安定性を損なうことなく、デバイス特性を改善することができる。
【００３８】
また、本実施の形態では、陰極１７（Ａｇ電極層）が反射層１９よりも薄くなっている。これにより、低抵抗な陰極１７を実現すると同時に、陰極１７および電子注入層１６をキャビティの反射層としてほとんど機能しないようにすることができる。その結果、通電安定性を損なうことなく、デバイス特性を改善することができる。
【００３９】
また、本実施の形態では、陰極１７（Ａｇ電極層）と反射層１９との間に、陰極１７（Ａｇ電極層）よりも高抵抗の膜厚調整層１８が設けられている。これにより、膜厚調整層１８が電流経路を構成しなくなるので、膜厚調整層１８が金属ドープされた有機層であった場合であっても、それによる影響はない。また、そもそも、膜厚調整層１８に電流が流れないので、膜厚調整層１８にドープされた金属が拡散することもない。その結果、通電安定性を損なうことなく、デバイス特性を改善することができる。
【００４０】
＜２．第１の実施の形態の変形例＞
[変形例Ａ]
上記実施の形態において、例えば、図５に示したように、陰極１７（Ａｇ電極層）の反射層１９側に接する保護層２８（Ｙｂ保護層）が設けられていてもよい。保護層２８は、陰極１６（Ａｇ電極層）が非常に薄い場合に抵抗値を下げるための低抵抗層として機能する層である。保護層２８は、例えば、厚さが０．１ｎｍ以上、５ｎｍ以下のＹｂ層である。保護層２８は、膜厚調整層１８よりも低抵抗となっている。
【００４１】
図６はＡｇ膜厚とシート抵抗、Ｙｂ電子注入層、Ｙｂ保護層の関係の一例を表したものである。図６において、陰極１７が例えばＡｇ層となっており、かつ電子注入層１６が例えばＹｂ層となっている。Ａｇ層の膜厚が５ｎｍとなっているとき、Ｙｂからなる電子注入層１６が設けられていない場合（比較例）には、シート抵抗値が大幅に増大し、１０Ｍオーム／ｓｑ以上になってしまう。一方、Ｙｂからなる電子注入層１６が設けられている場合（実施例）には、シート抵抗値は２０オーム／ｓｑ〜３０オーム／ｓｑ程度と低抵抗な陰極を実現することが出来る。また、Ａｇ層の膜厚が２ｎｍとなっているとき、Ｙｂからなる電子注入層１６が設けられていない場合（比較例）や、Ｙｂからなる電子注入層１６が設けられている場合であってもＹｂからなる保護層２８が設けられていない場合（実施例）にはシート抵抗値が大幅に増大し１０Ｍオーム／ｓｑ以上になってしまう。一方、Ｙｂからなる電子注入層１６が設けられており、且つＹｂからなる保護層２８が設けられている場合（変形例Ａ）には、シート抵抗値は３５０〜４００オーム／ｓｑ程度と低抵抗な陰極１７を実現することが出来る。このように、本変形例では、陰極１７（Ａｇ電極層）の反射層１９側に接する保護層２８（Ｙｂ保護層）が設けられていることにより、低抵抗な陰極１７を実現することができる。この結果、薄い膜厚の陰極１７（Ａｇ電極層）においても通電安定性を損なうことなく、デバイス特性を改善することができる。
【００４２】
[変形例Ｂ]
また、上記実施の形態および変形例Ａにおいて、例えば、図７、図８に示したように、反射層１９と陰極１７（Ａｇ電極層）とが電気的に導通していてもよい。さらに、上記実施の形態において、反射層１９が、例えば、陰極１７（Ａｇ電極層）の一部に接していてもよい。具体的には、上記実施の形態において、反射層１９と陰極１７（Ａｇ電極層）とが、有機発光層１４の発光領域１４Ａと厚さ方向において非対向の領域（例えば、バンク２５と厚さ方向において対向する領域、または、周辺領域２０Ｂ）で電気的に導通していてもよい。このように、反射層１９と陰極１７（Ａｇ電極層）とが電気的に導通していることにより、低抵抗な反射層１９が補助配線の役割を担う。そのことでその抵抗影響を小さくすることが出来、パネルが大型化した際に、パネルの中央部に電圧がかかりにくくなる現象（電圧降下）を小さくすることが出来る。また、陰極１７（Ａｇ電極層）と反射層１９との間に、陰極１７（Ａｇ電極層）よりも高抵抗の膜厚調整層１８が設けられている構成において、膜厚調整層１８が電流経路を構成しなくなる。これにより膜厚調整層１８が金属ドープされた有機層であった場合であっても、それによる影響はない。また、そもそも、膜厚調整層１８に電流が流れないので、膜厚調整層１８にドープされた金属が拡散することもない。その結果、通電安定性を損なうことなく、デバイス特性を改善することができる。
【００４３】
[変形例Ｃ]
また、上記実施の形態、変形例Ａおよび変形例Ｂにおいて、陰極１７の膜厚増加による透過率の低下や膜厚ずれに対する発光特性変化を制御することができる場合には、陰極１７の膜厚が反射膜１９の膜厚と同じか、またはそれよりも厚くなっていてもよい。例えば、図９に示したように、陰極１７の膜厚が反射膜１９の膜厚と同じか、またはそれよりも厚くなっていてもよい。このようにした場合には、陰極１７のシート抵抗を低抵抗化することができ、デバイス特性を改善することができる。
【００４４】
[変形例Ｄ]
また、上記実施の形態、変形例Ａおよび変形例Ｂにおいて、陰極１７の厚さが、例えば、画素領域２０Ａで相対的に薄くなっており、画素領域２０Ｂの周辺の領域（周辺領域２０Ｂ）で相対的に厚くなっていてもよい。例えば、図１０に示したように、陰極１７の厚さが、画素領域２０Ａで相対的に薄くなっており、画素領域２０Ｂの周辺の領域（周辺領域２０Ｂ）で相対的に厚くなっていてもよい。このようにした場合には、周辺領域２０Ｂでの電圧降下を小さくすることができ、デバイス特性を改善することができる。
【００４５】
＜３．第２の実施の形態＞
[構成]
図１１は、本開示の第２の実施の形態に係る有機電界発光装置２の概略構成の一例を表したものである。図１２は、有機電界発光装置２に設けられた各画素２３の回路構成の一例を表したものである。有機電界発光装置２は、例えば、表示パネル２０、コントローラ３０およびドライバ４０を備えている。表示パネル２０は、画素領域２０Ａに、行列状に配置された複数の画素２３を有している。ドライバ４０は、表示パネル２０の外縁部分（画素領域２０Ａの周辺の領域である周辺領域２０Ｂ）に実装されている。コントローラ３０およびドライバ４０は、外部から入力された映像信号Ｄｉｎおよび同期信号Ｔｉｎに基づいて、表示パネル２０を駆動する。
【００４６】
（表示パネル２０）
表示パネル２０は、コントローラ３０およびドライバ４０によって各画素２３がアクティブマトリクス駆動されることにより、外部から入力された映像信号Ｄｉｎおよび同期信号Ｔｉｎに基づく画像を表示する。表示パネル２０は、行方向に延在する複数の走査線ＷＳＬと、列方向に延在する複数の信号線ＤＴＬおよび複数の電源線ＤＳＬと、行列状に配置された複数の画素２３とを有している。
【００４７】
走査線ＷＳＬは、各画素２３の選択に用いられるものであり、各画素２３を所定の単位（例えば画素行）ごとに選択する選択パルスを各画素２３に供給するものである。信号線ＤＴＬは、映像信号Ｄｉｎに応じた信号電圧Ｖｓｉｇの、各画素２３への供給に用いられるものであり、信号電圧Ｖｓｉｇを含むデータパルスを各画素２３に供給するものである。電源線ＤＳＬは、各画素２３に電力を供給するものである。
【００４８】
複数の画素２３は、例えば、赤色光を発する複数の画素２３、緑色光を発する複数の画素２３および青色光を発する複数の画素２３で構成されている。なお、複数の画素２３は、例えば、さらに、他の色（例えば、白色や、黄色など）を発する複数の画素２３を含んで構成されていてもよい。
【００４９】
各信号線ＤＴＬは、後述の水平セレクタ４１の出力端に接続されている。各画素列には、例えば、複数の信号線ＤＴＬが１本ずつ、割り当てられている。各走査線ＷＳＬは、後述のライトスキャナ４２の出力端に接続されている。各画素行には、例えば、複数の走査線ＷＳＬが１本ずつ、割り当てられている。各電源線ＤＳＬは、電源の出力端に接続されている。各画素行には、例えば、複数の電源線ＤＳＬが１本ずつ、割り当てられている。
【００５０】
各画素２３は、例えば、画素回路２３−１と、有機電界発光素子２３−２とを有している。有機電界発光素子２３−２は、例えば、上記実施の形態およびその変形例に係る有機電界発光素子１である。表示パネル２０に含まれる複数の画素２３のうち、少なくとも１つは、上記実施の形態およびその変形例に係る有機電界発光素子１を有している。つまり、表示パネル２０に含まれる複数の有機電界発光素子２３−２のうち、少なくとも１つは、上記実施の形態およびその変形例に係る有機電界発光素子１で構成されている。
【００５１】
画素回路２３−１は、有機電界発光素子２３−２の発光・消光を制御する。画素回路２３−１は、後述の書込走査によって各画素２３に書き込んだ電圧を保持する機能を有している。画素回路２３−１は、例えば、駆動トランジスタＴｒ１、書込トランジスタＴｒ２および保持容量Ｃｓを含んで構成されている。
【００５２】
書込トランジスタＴｒ２は、駆動トランジスタＴｒ１のゲートに対する、映像信号Ｄｉｎに対応した信号電圧Ｖｓｉｇの印加を制御する。具体的には、書込トランジスタＴｒ２は、信号線ＤＴＬの電圧をサンプリングするとともに、サンプリングにより得られた電圧を駆動トランジスタＴｒ１のゲートに書き込む。駆動トランジスタＴｒ１は、有機電界発光素子２３−２に直列に接続されている。駆動トランジスタＴｒ１は、有機電界発光素子２３−２を駆動する。駆動トランジスタＴｒ１は、書込トランジスタＴｒ２によってサンプリングされた電圧の大きさに応じて有機電界発光素子２３−２に流れる電流を制御する。保持容量Ｃｓは、駆動トランジスタＴｒ１のゲート−ソース間に所定の電圧を保持するものである。保持容量Ｃｓは、所定の期間中に駆動トランジスタＴｒ１のゲート−ソース間電圧Ｖｇｓを一定に保持する役割を有する。なお、画素回路２３−１は、上述の２Ｔｒ１Ｃの回路に対して各種容量やトランジスタを付加した回路構成となっていてもよいし、上述の２Ｔｒ１Ｃの回路構成とは異なる回路構成となっていてもよい。
【００５３】
各信号線ＤＴＬは、後述の水平セレクタ４１の出力端と、書込トランジスタＴｒ２のソースまたはドレインとに接続されている。各走査線ＷＳＬは、後述のライトスキャナ４２の出力端と、書込トランジスタＴｒ２のゲートとに接続されている。各電源線ＤＳＬは、電源回路３３の出力端と、駆動トランジスタＴｒ１のソースまたはドレインに接続されている。
【００５４】
書込トランジスタＴｒ２のゲートは、走査線ＷＳＬに接続されている。書込トランジスタＴｒ２のソースまたはドレインが信号線ＤＴＬに接続されている。書込トランジスタＴｒ２のソースおよびドレインのうち信号線ＤＴＬに未接続の端子が駆動トランジスタＴｒ１のゲートに接続されている。駆動トランジスタＴｒ１のソースまたはドレインが電源線ＤＳＬに接続されている。駆動トランジスタＴｒ１のソースおよびドレインのうち電源線ＤＳＬに未接続の端子が有機電界発光素子２３−２の陽極（反射層１１）に接続されている。保持容量Ｃｓの一端が駆動トランジスタＴｒ１のゲートに接続されている。保持容量Ｃｓの他端が駆動トランジスタＴｒ１のソースおよびドレインのうち有機電界発光素子２３−２側の端子に接続されている。
【００５５】
（ドライバ４０）
ドライバ４０は、例えば、水平セレクタ４１およびライトスキャナ４２を有している。水平セレクタ４１は、例えば、制御信号の入力に応じて（同期して）、コントローラ３０から入力されたアナログの信号電圧Ｖｓｉｇを、各信号線ＤＴＬに印加する。ライトスキャナ４２は、複数の画素２３を所定の単位ごとに走査する。
【００５６】
（コントローラ３０）
次に、コントローラ３０について説明する。コントローラ３０は、例えば、外部から入力されたデジタルの映像信号Ｄｉｎに対して所定の補正を行い、それにより得られた映像信号に基づいて、信号電圧Ｖｓｉｇを生成する。コントローラ３０は、例えば、生成した信号電圧Ｖｓｉｇを水平セレクタ４１に出力する。コントローラ３０は、例えば、外部から入力された同期信号Ｔｉｎに応じて（同期して）、ドライバ４０内の各回路に対して制御信号を出力する。
【００５７】
次に、図１３、図１等を参照して、有機電界発光素子２３−２について説明する。図１３は、表示パネル２０の概略構成例を表したものである。
【００５８】
表示パネル２０は、行列状に配置された複数の画素２３を有している。複数の画素２３は、例えば、上述したように、赤色光を発する画素２３（２３Ｒ）、緑色光を発する画素２３（２３Ｇ）、および青色光を発する画素２３（２３Ｂ）を含んで構成されている。複数の画素２３において、例えば、画素２３Ｒ、画素２３Ｇおよび画素２３Ｂが、カラー表示における画素（カラー画素２４）を構成している。
【００５９】
画素２３Ｒは、赤色の光を発する有機電界発光素子２３−２を含んで構成されている。画素２３Ｇは、緑色の光を発する有機電界発光素子２３−２を含んで構成されている。画素２３Ｂは、青色の光を発する有機電界発光素子２３−２を含んで構成されている。画素２３Ｒ，２３Ｇ，２３Ｂは、例えば、ストライプ配列となっている。各画素２３において、例えば、画素２３Ｒ，２３Ｇ，２３Ｂが、列方向に並んで配置されている。さらに、各画素行において、例えば、同一色の光を発する複数の画素２３が、行方向に一列に並んで配置されている。
【００６０】
表示パネル２０は、基板１０上に、行方向に延在する複数のバンク２５（上記第１の実施の形態におけるバンク２５）と、列方向に延在する２つのバンク２２とを有している。複数のバンク２５および２つのバンク２２は、表示パネル２０の画素領域２０Ａを区画する。複数のバンク２５は、各カラー画素２４において、各画素２３を区画する。２つのバンク２２は、各画素行の端部を規定する。つまり、各画素行は、２つのバンク２５および２のバンク２２によって区画されている。
【００６１】
[効果]
本実施の形態では、表示パネル２０に含まれる複数の有機電界発光素子２３−２のうち、少なくとも１つは、上記実施の形態およびその変形例に係る有機電界発光素子１で構成されている。従って、発光特性に優れ、かつ長寿命の有機電界発光装置２を実現することができる。
【００６２】
＜４．適用例＞
[適用例その１]
以下では、上記第２の実施の形態で説明した有機電界発光装置２の適用例について説明する。有機電界発光装置２は、テレビジョン装置、デジタルカメラ、ノート型パーソナルコンピュータ、シート状のパーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００６３】
図１４は、本適用例に係る電子機器３の外観を斜視的に表したものである。電子機器３は、例えば、筐体３１０の主面に表示面３２０を備えたシート状のパーソナルコンピュータである。電子機器３は、電子機器３の表示面３２０に、有機電界発光装置２を備えている。有機電界発光装置２は、表示パネル２０が外側を向くように配置されている。本適用例では、有機電界発光装置２が表示面３２０に設けられているので、発光特性に優れ、かつ長寿命の電子機器３を実現することができる。
【００６４】
[適用例その２]
以下では、上記実施の形態およびその変形例に係る有機電界発光素子１の適用例について説明する。有機電界発光素子１は、卓上用もしくは床置き用の照明装置、または、室内用の照明装置など、あらゆる分野の照明装置の光源に適用することが可能である。
【００６５】
図１５は、上記実施の形態およびその変形例に係る有機電界発光素子１が適用される室内用の照明装置の外観を表したものである。この照明装置は、例えば、上記実施の形態およびその変形例に係る１または複数の有機電界発光素子１を含んで構成された照明部４１０を有している。照明部４１０は、建造物の天井４２０に適宜の個数および間隔で配置されている。なお、照明部４１０は、用途に応じて、天井４２０に限らず、壁４３０または床（図示せず）など任意の場所に設置することが可能である。
【００６６】
これらの照明装置では、上記実施の形態およびその変形例に係る有機電界発光素子１からの光により、照明が行われる。これにより、発光特性に優れ、かつ長寿命の照明装置を実現することができる。
【００６７】
以上、実施の形態および適用例を挙げて本開示を説明したが、本開示は実施の形態等に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００６８】
また、例えば、本開示は以下のような構成を取ることができる。
（１）
第１反射層と、
第２反射層と、
前記第１反射層と前記第２反射層との間に設けられた単色発光の有機発光層と、
前記有機発光層と前記第２反射層との間に設けられたＡｇ電極層と、
前記Ａｇ電極層の前記有機発光層側に接するＹｂ電子注入層と
を備えた
有機電界発光素子。
（２）
前記Ａｇ電極層の前記第２反射層側に接するＹｂ保護層を更に備えた
（１）に記載の有機電界発光素子。
（３）
前記Ａｇ電極層は、前記第２反射層よりも薄くなっている
（１）または（２）に記載の有機電界発光素子。
（４）
前記Ａｇ電極層と前記第２反射層との間に、前記Ａｇ電極層よりも高抵抗の膜厚調整層を更に備えた
（１）から（３）のいずれか１つに記載の有機電界発光素子。
（５）
前記第１反射層および前記Ａｇ電極層と電気的に導通し、前記第１反射層と前記Ａｇ電極層との間に電流を供給するための配線を更に備えた
（１）から（４）のいずれか１つに記載の有機電界発光素子。
（６）
前記第２反射層と前記Ａｇ電極層とが電気的に導通している
（１）から（５）のいずれか１つに記載の有機電界発光素子。
（７）
前記第２反射層と前記Ａｇ電極層とが、前記有機発光層の発光領域と非対向の領域において電気的に導通している
（８）
前記第１反射層と前記第２反射層との間の距離が、キャビティが生じる光路長となっている
（１）から（７）のいずれか１つに記載の有機電界発光素子。
（９）
複数の有機電界発光素子を備え、
前記複数の有機電界発光素子のうちの少なくとも１つは、
第１反射層と、
第２反射層と、
前記第１反射層と前記第２反射層との間に設けられた単色発光の有機発光層と、
前記有機発光層と前記第２反射層との間に設けられたＡｇ電極層と、
前記Ａｇ電極層の前記有機発光層側に接するＹｂ電子注入層と
を有する
有機電界発光装置。
（１０）
前記複数の有機電界発光素子は、画素領域に設けられ、
前記第２反射層と前記Ａｇ電極層とが、前記画素領域の周辺の領域で電気的に導通している
（９）に記載の有機電界発光装置。
（１１）
複数の有機電界発光素子を有する有機電界発光装置を備え、
前記複数の有機電界発光素子のうちの少なくとも１つは、
第１反射層と、
第２反射層と、
前記第１反射層と前記第２反射層との間に設けられた単色発光の有機発光層と、
前記有機発光層と前記第２反射層との間に設けられたＡｇ電極層と、
前記Ａｇ電極層の前記有機発光層側に接するＹｂ電子注入層と
を有する
電子機器。
（１２）
第１反射層と、
第２反射層と、
前記第１反射層と前記第２反射層との間に設けられた単色発光の有機発光層と、
前記有機発光層と前記第２反射層との間に設けられた、膜厚が前記第２反射層よりも薄い電極層と、
前記電極層と前記第２反射層との間に設けられた、前記電極層よりも高抵抗の膜厚調整層と、
前記第１反射層と前記電極層との間に電流を供給するための配線層と
を備えた
有機電界発光素子。
（１３）
前記第２反射層と前記電極層とが、画素領域の周辺の領域で電気的に導通している
（１２）に記載の有機電界発光素子。
（１４）
第１反射層と、
第２反射層と、
前記第１反射層と前記第２反射層との間に設けられた単色発光の有機発光層と、
前記有機発光層と前記第２反射層との間に設けられた電極層と、
前記電極層と前記第２反射層との間に設けられた、前記電極層よりも高抵抗の膜厚調整層と、
前記第１反射層と前記電極層との間に電流を供給するための配線層と
を備えた
有機電界発光素子。
（１５）
前記電極層の膜厚が、画素領域で相対的に薄くなっており、前記画素領域の周辺の領域で相対的に厚くなっている
（１４）に記載の有機電界発光素子。
【符号の説明】
【００６９】
１…有機電界発光素子、２…有機電界発光装置、３…電子機器、１０…基板、１１…反射層、１２…正孔注入層、１３…正孔輸送層、１４…有機発光層、１４Ａ…発光領域、１５…電子輸送層、１６…電子注入層、１７…陰極、１８…膜厚調整層、１９…反射層、２０…表示パネル、２０Ａ…画素領域、２０Ｂ…周辺領域、２１…電極、２１Ａ…配線層、２１Ｂ…電極層、２２，２５…バンク、２３，２３Ｒ，２３Ｇ，２３Ｂ…画素、２３−１…画素回路、２３−２…有機電界発光素子、２４…カラー画素、２５…バンク、２８…保護層、３０…コントローラ、４０…ドライバ、４１…水平セレクタ、４２…ライトスキャナ、１００…有機電界発光素子、３１０…筐体、３２０…表示面、４１０…照明部、４２０…天井、４３０…壁、Ｃｓ…保持容量、ＤＴＬ…信号線、ＤＳＬ…電源線、Ｔｒ１…駆動トランジスタ、Ｔｒ２…書込トランジスタ、Ｖｇｓ…ゲート−ソース間電圧、Ｖｓｉｇ…信号電圧、ＷＳＬ…走査線。
【図１】
2019083187.tif 000003
【図２】
2019083187.tif 000004
【図３】
2019083187.tif 000005
【図４】
2019083187.tif 000006
【図５】
2019083187.tif 000007
【図６】
2019083187.tif 000008
【図７】
2019083187.tif 000009
【図８】
2019083187.tif 000010
【図９】
2019083187.tif 000011
【図１０】
2019083187.tif 000012
【図１１】
2019083187.tif 000013
【図１２】
2019083187.tif 000014
【図１３】
2019083187.tif 000015
【図１４】
2019083187.tif 000016
【図１５】
2019083187.tif 000017